【手続補正書】
【提出日】平成19年2月9日(2007.2.9)
【手続補正１】
【補正対象書類名】明細書
【補正対象項目名】全文
【補正方法】変更
【補正の内容】
【書類名】明細書
【発明の名称】  移動体通信における複数の多元アクセスタイプの利用
【特許請求の範囲】
【請求項１】  少なくとも加入者端末とエアーインターフェースを介して通信する１の基地局を備える通信システムであって、
前記通信システムにおける無線送信アクセスが、時間分割多元アクセス（ＴＤＭＡ）コンポーネントを伴う符号分割多元アクセス（ＣＤＭＡ）を利用し、共通ブロードキャスト物理チャネルが、前記基地局から少なくとも複数のアクティブなキャリア／タイムスロット結合上でブロードキャストされ、ＣＤＭＡ符号は、
前記共通ブロードキャスト物理チャネルに利用され、前記共通ブロードキャスト物理チャネルは、（１）ブロードキャストシステム識別情報及び（２）ページング情報を含むことを特徴とするシステム。
【請求項２】  前記基地局のために、異なるタイムスロット上でアクティブな、少なくとも２つの前記共通ブロードキャスト物理チャネルが常に存在することを特徴とする請求項１に記載のシステム。
【請求項３】  前記基地局は、前記二以上の共通ブロードキャスト物理チャネルをアクティブなトラヒックタイムスロット上に配置し、もし、２未満のアクティブトラヒックチャネルしかない場合は、前記基地局がダミー共通ブロードキャスト物理チャネルを最低干渉度の非トラヒックタイムスロット上に生成することを特徴とする請求項１に記載のシステム。
【請求項４】  前記基地局は、ダミー共通ブロードキャスト物理チャネルが、最低干渉度タイムスロット上に残っているかどうかを確認するために監視し、もし、そうでないならば、ダミー共通ブロードキャスト物理チャネルを最低干渉度タイムスロットに再配置することを特徴とする請求項３に記載のシステム。
【請求項５】  前記基地局は、ダミー共通ブロードキャスト物理チャネルを最低干渉度タイムスロット上に生成することを特徴とする請求項２に記載のシステム。
【請求項６】  固定ダイレクトシーケンスＣＤＭＡ符号は、共通ブロードキャスト物理チャネルとして利用されることを特徴とする請求項１に記載のシステム。
【請求項７】  前記加入者端末は、前記基地局へアクセス要求を送信するためにキャリア／タイムスロットを選択することを特徴とする請求項１に記載のシステム。
【請求項８】  前記基地局へアクセス要求を送信するために前記加入者端末によって選択されたキャリア／タイムスロットは、トラヒックチャネルとしても利用されることを特徴とする請求項７に記載のシステム。
【請求項９】  前記加入者端末は、少なくとも最低干渉度キャリア／タイムスロットを、前記基地局へ前記アクセス要求を送信するためのキャリア／タイムスロットとして選択することを特徴とする請求項７に記載のシステム。
【請求項１０】  前記アクセス要求の受信に応じて、受領されたアクセス要求のために、前記基地局は、前記加入者端末が前記基地局へのアクセス要求を送信するために選択した前記キャリア／タイムスロットの２重ペアに含まれる次のダウンリンクキャリア／タイムスロットで、回答を送信することを特徴とする請求項７に記載のシステム。
【請求項１１】  前記加入者端末は、第１の所定の閾値を超えるものでなければならない最低干渉度アップリンクキャリア／タイムスロットを、前記基地局に対するアクセス要求を送信するための前記キャリア／タイムスロットとして選択し、選択されたアップリンクキャリア／タイムスロットについての２重ペアのダウンリンクキャリア／タイムスロットは、基地局において第２の所定の閾値を超えるものでなければならないことを特徴とする請求項７に記載のシステム。
【請求項１２】  最低干渉度アップリンクキャリア／タイムスロットの、前記基地局に対するアクセス要求を送信するための前記キャリア／タイムスロットとしての選択において、前記加入者端末は、
（１）ダミー共通ブロードキャスト物理チャネルを有する２重キャリア／タイムスロットチャネル、
（２）前記加入者端末に最も近い前記基地局のアクティブなトラヒックチャネルを有する２重キャリア／タイムスロットチャネル、
（３）隣接基地局のアクティブなトラヒックチャネルを有する２重キャリア／タイムスロットチャネルと、ランダムキャリア上の最低干渉度２重キャリア／タイムスロットチャネル
の優先順位を利用することを特徴とする請求項１１に記載のシステム。
【請求項１３】  ある瞬間において、前記基地局と前記加入者端末間の接続が、前記システムの物理チャネル上で発生し、前記物理チャネルが符号、タイムスロット及び周波数によって定義されることを特徴とする請求項１に記載のシステム。
【請求項１４】  前記ブロードキャストシステム識別情報により、加入者端末は、前記加入者が属する前記通信システムと、それ以外の同一地理的範囲に存在する他の通信システムとを区別することが可能となり、前記加入者端末は、前記ブロードキャストシステム識別子を前記加入者が属する通信システムからのフレーミング送信に利用することを特徴とする請求項１に記載のシステム。
【請求項１５】  前記ブロードキャストシステム識別情報は、さらに、前記加入者が属する通信システムの前記基地局の識別情報を含むことを特徴とする請求項９に記載のシステム。
【請求項１６】  少なくとも加入者端末とエアーインターフェースを介して通信する１の基地局を備える通信システムの制御方法であって、
前記通信システムにおける無線送信アクセスについて、時間分割多元アクセス（ＴＤＭＡ）コンポーネントを伴う符号分割多元アクセス（ＣＤＭＡ）を利用する工程と、
共通ブロードキャスト物理チャネルを、前記基地局から少なくとも複数のアクティブなキャリア／タイムスロット結合上でブロードキャストする工程であって、ＣＤＭＡ符号が前記共通ブロードキャスト物理チャネルとして利用される工程
とを備え、
前記共通ブロードキャスト物理チャネルは、（１）ブロードキャストシステム識別情報及び（２）ページング情報を含むことを特徴とする方法。
【請求項１７】  前記基地局のために、異なるタイムスロット上でアクティブな、少なくとも２つの前記共通ブロードキャスト物理チャネルを維持する工程さらに備えることを特徴とする請求項１６に記載の方法。
【請求項１８】  前記二つの共通ブロードキャスト物理チャネルを、前記基地局がアクティブなトラヒックタイムスロット上に配置する工程と、もし、２未満のアクティブトラヒックチャネルしかない場合は、前記基地局がダミー共通ブロードキャスト物理チャネルを最低干渉度の非トラヒックタイムスロット上に生成する工程とを更に備えることを特徴とする請求項１７に記載の方法。
【請求項１９】  前記基地局がダミー共通ブロードキャスト物理チャネルが、最低干渉度タイムスロット上に残っているかどうかを確認するために監視する工程と、もし、そうでないならば、ダミー共通ブロードキャスト物理チャネルを最低干渉度タイムスロットに再配置する工程とを更に備えることを特徴とする請求項１８に記載の方法。
【請求項２０】  前記基地局がダミー共通ブロードキャスト物理チャネルを最低干渉度タイムスロット上に生成する工程を更に備えることを特徴とする請求項１６に記載の方法。
【請求項２１】  固定ダイレクトシーケンスＣＤＭＡ符号を、共通ブロードキャスト物理チャネルとして利用する工程を更に備えることを特徴とする請求項１６に記載の方法。
【請求項２２】  前記基地局へアクセス要求を送信するためにキャリア／タイムスロットを選択する前記加入者端末を備えること特徴とする請求項１６に記載の方法。
【請求項２３】  前記基地局へアクセス要求を送信するために前記加入者端末によって選択されたキャリア／タイムスロットを、トラヒックチャネルとしても利用する工程を備えることを特徴とする請求項２２に記載の方法。
【請求項２４】  少なくとも最低干渉度キャリア／タイムスロットを、前記基地局へ前記アクセス要求を送信するためのキャリア／タイムスロットとして選択する前記加入者端末を更に備えることを特徴とする請求項２２に記載の方法。
【請求項２５】  前記アクセス要求の受信に応じて、受領されたアクセス要求のために、前記基地局は、前記加入者端末が前記基地局へのアクセス要求を送信するために選択した前記キャリア／タイムスロットの２重ペアに含まれる次のダウンリンクキャリア／タイムスロットで、回答を送信する工程を更に備えることを特徴とする請求項２２に記載の方法。
【請求項２６】  前記加入者端末が第１の所定の閾値を超えるものでなければならない最低干渉度アップリンクキャリア／タイムスロットを、前記基地局に対するアクセス要求を送信するための前記キャリア／タイムスロットとして選択する工程を備え、選択されたアップリンクキャリア／タイムスロットについての２重ペアのダウンリンクキャリア／タイムスロットは、基地局において第２の所定の閾値を超えるものでなければならないことを特徴とする請求項２４に記載の方法。
【請求項２７】  最低干渉度アップリンクキャリア／タイムスロットの、前記基地局に対するアクセス要求を送信するための前記キャリア／タイムスロットとして選択する工程において、前記加入者端末は、
（１）ダミー共通ブロードキャスト物理チャネルを有する２重キャリア／タイムスロットチャネル、
（２）前記加入者端末に最も近い前記基地局のアクティブなトラヒックチャネルを有する２重キャリア／タイムスロットチャネル、
（３）隣接基地局のアクティブなトラヒックチャネルを有する２重キャリア／タイムスロットチャネルと、ランダムキャリア上の最低干渉度２重キャリア／タイムスロットチャネル
の優先順位を利用することを特徴とする請求項２６に記載の方法。
【請求項２８】  ある瞬間において、前記基地局と前記加入者端末間の接続が、前記システムの物理チャネル上で発生し、前記物理チャネルが符号、タイムスロット及び周波数によって定義されることを特徴とする請求項１６に記載の方法。
【請求項２９】  前記加入者が属する前記通信システムと、それ以外の同一地理的範囲に存在する他の通信システムとを区別するために前記ブロードキャストシステム識別情報を利用する前記加入者端末をさらに備えることを特徴とする請求項１６に記載の方法。
【請求項３０】  前記ブロードキャストシステム識別情報を前記加入者が属する通信システムからのフレーミング送信に利用する前記加入者端末をさらに備えることを特徴とする請求項２９に記載の方法。
【請求項３１】  第２の通信システムと少なくとも部分的に地理的重複範囲を有する第１の通信システムの制御方法であって、前記第１の通信システムが、少なくとも第１のシステム加入者端末とエアーインターフェースを介して通信する１の第１のシステム基地局を備え、前記第１の通信システムにおける無線送信アクセスについて、時間分割多元アクセス（ＴＤＭＡ）コンポーネントを伴う符号分割多元アクセス（ＣＤＭＡ）を利用する方法は、
共通ブロードキャスト物理チャネルを前記第１のシステム基地局から、少なくとも複数のアクティブなトラヒックキャリア／タイムスロット結合上でブロードキャストするために、ＣＤＭＡ符号を利用する工程であって、前記共通ブロードキャスト物理チャネルは、ブロードキャストシステム識別情報を含む工程と、
前記第１のシステム加入者端末において、前記ブロードキャストシステム識別情報を、前記第１の通信システムからの送信と、前記第２の通信システムからの送信とを区別するために利用する工程とを
備えることを特徴とする方法。
【請求項３２】  前記第１のシステム加入者端末の前記ブロードキャストシステム識別情報を、第１の通信システムにおけるフレーミング送信に利用する工程をさらに備えることを特徴とする請求項３１に記載の方法。
【請求項３３】  前記共通ブロードキャスト物理チャネルにページング情報が更に含まれることを特徴とする請求項３１に記載の方法。
【請求項３４】  前記第１のシステム基地局のために、異なるタイムスロット上でアクティブな、少なくとも２つの前記共通ブロードキャスト物理チャネルを維持する工程をさらに備えることを特徴とする請求項３１に記載の方法。
【請求項３５】  前記二つの共通ブロードキャスト物理チャネルを、前記第１のシステム基地局がアクティブなトラヒックタイムスロット上に配置する工程と、もし、２未満のアクティブトラヒックチャネルしかない場合は、前記基地局がダミー共通ブロードキャスト物理チャネルを最低干渉度の非トラヒックタイムスロット上に生成する工程とを更に備えることを特徴とする請求項３４に記載の方法。
【請求項３６】  前記第１のシステム基地局がダミー共通ブロードキャスト物理チャネルが、最低干渉度タイムスロット上に残っているかどうかを確認するために監視する工程と、もし、そうでないならば、ダミー共通ブロードキャスト物理チャネルを最低干渉度タイムスロットに再配置する工程とを更に備えることを特徴とする請求項３５に記載の方法。
【請求項３７】  前記第１のシステム基地局がダミー共通ブロードキャスト物理チャネルを最低干渉度タイムスロット上に生成する工程を更に備えることを特徴とする請求項３３に記載の方法。
【請求項３８】  固定ダイレクトシーケンスＣＤＭＡ符号を、共通ブロードキャスト物理チャネルとして利用する工程を更に備えることを特徴とする請求項３１に記載の方法。
【請求項３９】  前記第１のシステム基地局へアクセス要求を送信するためにキャリア／タイムスロットを選択する前記第１のシステム加入者端末を備えること特徴とする請求項３１に記載の方法。
【請求項４０】  前記第１のシステム基地局へアクセス要求を送信するために前記加入者端末によって選択されたキャリア／タイムスロットを、トラヒックチャネルとしても利用する工程を備えることを特徴とする請求項３１に記載の方法。
【請求項４１】  少なくとも最低干渉度キャリア／タイムスロットを、前記第１のシステム基地局へ前記アクセス要求を送信するためのキャリア／タイムスロットとして選択する前記第１のシステム加入者端末を更に備えることを特徴とする請求項４０に記載の方法。
【請求項４２】  前記アクセス要求の受信に応じて、受領されたアクセス要求のために、前記第１のシステム基地局は、前記第１のシステム加入者端末が前記第１のシステム基地局へのアクセス要求を送信するために選択した前記キャリア／タイムスロットの２重ペアに含まれる次のダウンリンクキャリア／タイムスロットで、回答を送信する工程を更に備えることを特徴とする請求項４０に記載の方法。
【請求項４３】  ある瞬間において、前記第１のシステム基地局と前記第１のシステム加入者端末間の接続が、前記第１の通信システムの物理チャネル上で発生し、前記物理チャネルが符号、タイムスロット及び周波数によって定義されることを特徴とする請求項３１に記載の方法。
【請求項４４】  第２の通信システムと少なくとも部分的に地理的重複範囲を有する第１の通信システムであって、前記第１の通信システムにおける無線送信アクセスについて、時間分割多元アクセス（ＴＤＭＡ）コンポーネントを伴う符号分割多元アクセス（ＣＤＭＡ）を利用する前記第１の通信システムは、
少なくとも第１のシステム加入者端末とエアーインターフェースを介して第１のシステム加入者端末と通信する１の第１のシステム基地局を備える前記第１の通信システムと、
共通ブロードキャスト物理チャネルを、少なくとも複数のアクティブなキャリア／タイムスロット結合上で、ＣＤＭＡ符号を利用してブロードキャストする前記第１のシステム基地局と、
ブロードキャストシステム識別情報を含む前記共通ブロードキャスト物理チャネルと、
前記ブロードキャストシステム識別情報を、前記第１の通信システムからの送信と、前記第２の通信システムからの送信とを区別するために利用する前記第１のシステム加入者端末と
備えることを特徴とするシステム。
【請求項４５】  前記第１のシステム加入者端末が、前記ブロードキャストシステム識別情報を、第１の通信システムにおけるフレーミング送信に利用することを特徴とする請求項４４に記載のシステム。
【請求項４６】  前記第１のシステム基地局は、前記共通ブロードキャスト物理チャネルに更にページング情報を含むことを特徴とする請求項４４に記載のシステム。
【請求項４７】  前記第１のシステム基地局は、異なるタイムスロット上でアクティブな、少なくとも２つの前記共通ブロードキャスト物理チャネルをブロードキャストすることを特徴とする請求項４４に記載のシステム。
【請求項４８】  前記第１のシステム基地局は、前記２以上の共通ブロードキャスト物理チャネルを、アクティブなトラヒックタイムスロット上に配置し、もし、２未満のアクティブトラヒックチャネルしかない場合は、前記基地局がダミー共通ブロードキャスト物理チャネルを最低干渉度の非トラヒックタイムスロット上に生成することを特徴とする請求項４７に記載のシステム。
【請求項４９】  前記第１のシステム基地局がダミー共通ブロードキャスト物理チャネルが、最低干渉度タイムスロット上に残っているかどうかを確認するために監視し、もし、そうでないならば、ダミー共通ブロードキャスト物理チャネルを最低干渉度タイムスロットに再配置することを特徴とする請求項４８に記載のシステム。
【請求項５０】  前記第１のシステム基地局がダミー共通ブロードキャスト物理チャネルを最低干渉度タイムスロット上に生成することを特徴とする請求項４４に記載のシステム。
【請求項５１】  固定ダイレクトシーケンスＣＤＭＡ符号が、共通ブロードキャスト物理チャネルとして利用されることを特徴とする請求項４４に記載のシステム。
【請求項５２】  前記第１のシステム加入者端末が、前記第１のシステム基地局へアクセス要求を送信するためにキャリア／タイムスロットを選択すること特徴とする請求項４４に記載のシステム。
【請求項５３】  前記第１のシステム基地局へアクセス要求を送信するために前記加入者端末によって選択されたキャリア／タイムスロットが、トラヒックチャネルとしても利用されることを特徴とする請求項５２に記載のシステム。
【請求項５４】  前記第１のシステム加入者端末が、少なくとも最低干渉度キャリア／タイムスロットを、前記第１のシステム基地局へ前記アクセス要求を送信するためのキャリア／タイムスロットとして選択することを特徴とする請求項５２に記載のシステム。
【請求項５５】  前記第１のシステム基地局が、前記アクセス要求の受信に応じて、受領されたアクセス要求のために、前記第１のシステム加入者端末が前記第１のシステム基地局へのアクセス要求を送信するために選択した前記キャリア／タイムスロットの２重ペアに含まれる次のダウンリンクキャリア／タイムスロットで、回答を送信することを特徴とする請求項５２に記載のシステム。
【請求項５６】  ある瞬間において、前記第１のシステム基地局と前記第１のシステム加入者端末間の接続が、前記第１の通信システムの物理チャネル上で発生し、前記物理チャネルが符号、タイムスロット及び周波数によって定義されることを特徴とする請求項５２に記載のシステム。
【請求項５７】  加入者端末とエアーインターフェースを介して通信する少なくとも１の基地局を備える通信システムであって、
前記通信システムにおける無線送信アクセスが、時間分割多元アクセス（ＴＤＭＡ）コンポーネントを伴う符号分割多元アクセス（ＣＤＭＡ）を利用し、２重チャネルが、所定の時間関係を有するダウンリンクキャリア／タイムスロット結合とペアになったアップリンクキャリア／タイムスロット結合を備え、
アクセス要求のために前記加入者端末によって利用されるキャリア／タイムスロット結合、及び、アクセス要求応答のために前記基地局によって利用される前記キャリア／タイムスロット結合が、同一の２重チャネルを、前記加入者端末と前記基地局との間の接続に利用される後続のアップリンク及びダウンリンク専用物理チャネルとして利用し、ＣＤＭＡ符号が専用物理チャネルとして利用されることを特徴とするシステム。
【請求項５８】  前記アクセス要求及び前記アクセス要求応答が固定拡散符号を利用して符号化されることを特徴とする請求項５７に記載のシステム。
【請求項５９】  前記専用物理チャネルが、前記加入者端末本来の拡散符号を利用して符号化されることを特徴とする請求項５７に記載のシステム。
【請求項６０】  前アクセス要求応答のために前記基地局によって利用される前記キャリア／タイムスロット結合が、共通ブロードキャスト物理チャネルをも搬送することを特徴とし、前記共通ブロードキャスト物理チャネルが、（１）ブロードキャストシステム識別情報及び（２）ページング情報を含むことを特徴とする請求項５７に記載のシステム。
【請求項６１】  ＣＤＭＡ符号が前記共通ブロードキャスト物理チャネルとして利用されることを特徴とする請求項６０に記載のシステム。
【請求項６２】  加入者端末とエアーインターフェースを介して通信する少なくとも１の基地局を備える通信システムの制御方法であって、
アクセス要求を前記基地局に送信する前記加入者端末と、
前記加入者端末へ前アクセス要求応答を送信する前記基地局と、
前記通信システムにおける無線送信アクセスにつき、時間分割多元アクセス（ＴＤＭＡ）コンポーネントを伴う符号分割多元アクセス（ＣＤＭＡ）を利用する工程とを備え、
アクセス要求のために前記加入者端末によって利用されるキャリア／タイムスロット結合、及び、アクセス要求応答のために前記基地局によって利用される前記キャリア／タイムスロット結合が、同一の２重チャネルを、前記加入者端末と前記基地局との間の接続に利用される後続のアップリンク及びダウンリンク専用物理チャネルとして利用し、
ＣＤＭＡ符号が専用物理チャネルとして利用されることを特徴とする方法。
【請求項６３】  前記アクセス要求及び前記アクセス要求応答を固定拡散符号を利用して符号化する工程を更に備えることを特徴とする請求項６２に記載の方法。
【請求項６４】  前記専用物理チャネルを、前記加入者端末本来の拡散符号を利用して符号化する工程を更に備えることを特徴とする請求項６２に記載の方法。
【請求項６５】  前アクセス要求応答のために前記基地局によって利用される前記キャリア／タイムスロット結合上で、共通ブロードキャスト物理チャネルを搬送する工程を更に備え、前記共通ブロードキャスト物理チャネルが、（１）ブロードキャストシステム識別情報及び（２）ページング情報を含むことを特徴とする請求項６４に記載の方法。
【請求項６６】  ＣＤＭＡ符号が前記共通ブロードキャスト物理チャネルとして利用されることを特徴とする請求項６５に記載の方法。
【発明の詳細な説明】
【０００１】
【発明の属する技術分野】
本発明は、多元アクセス型技術を利用する無線若しくは移動通信システムに関連し、さらに詳細には、ＣＤＭＡ／ＴＤＭＡシステムのような、多元アクセス型技術システムにおけるチャネル選択方法に関連する。
【従来の技術】
無線若しくは、移動通信システムにおいて、移動端末（例えば、移動体通信電話）の形態を取るユーザー装置は、典型的には、基地局とエアーインターフェースを介して無線通信を行う。多数のユーザー、例えば、多数の移動端末が移動体通信システムにアクセするための数多くの技術が存在する。一般的な技術の一つ（周波数分割多元アクセス[ＦＤＭＡ]）は、複数の搬送無線周波数を採用し、各ユーザーを異なる無線周波数に割り当てる。しかし、無線周波数の同時転送は、１の無線を必要とするので、コストを削減し、提供されるサービスの柔軟性を向上するために他の技術がしばしば利用される。そのような他の技術の一つが、時間分割多元アクセス[ＴＤＭＡ]である。ここでは、各搬送周波数が情報のフレームを搬送するように概念付けられ、各フレームはタイムスロット若しくはチャネルに分割され、異なるユーザーは異なるタイムスロットを利用する。典型的は、トラヒックを移動端末から基地局へ送信するための“アップリンク”タイムスロット若しくはチャネルと、トラヒックを基地局から移動端末へ送信するための“ダウンリンク”タイムスロットが必要となる。
【０００２】
ＦＤＭＡとＴＤＭＡを結合する技術の一例（マルチキャリアＴＤＭＡ[ＭＣ／ＴＤＭＡ]）は、ヨーロッパで、ＤＥＣＴという名で１８８０から１９００ＭＨｚのスベクトルにおいて動作している。ＤＥＣＴの側面は、ＥＴＲ３１０（１９９６年８月 Annex E: DECT Instant Dynamic Channel Selection (DCS)Procedures, pp.69-74）に記載されている。ＤＥＣＴは、まず地理的範囲において極めて制限的な企業内移動通信システムに導入された。ＤＥＣＴにおいては、移動端末は、常に最も近い（最強）基地局にロックされている。最強基地局に自身をロックさせた後、移動端末は、定期的に更新される最少干渉チャネルのリストを生成する。移動端末のユーザーが電話をかけようとすると、移動端末は最良チャネルを選択し、アクセス要求（ＲＡＣＨ）メッセージを最強基地局へ送信する。この要求は、基地局受信ＲＦキャリアスキャニング順序と同期して送信される。もし、応答が適切な２重応答スロットで受信されると、２重チャネルが確立される。ＤＥＣＴにおいては、ハンドオーバーは移動端末によって制御される。自動若しくはシームレス（“通信が途切れる前の”）ハンドオーバーは、別の基地局が最強になると同時に行われる。ＤＥＣＴは、ページング及びシステム情報を全てのダウンリンクチャネル上で提供する。
【０００３】
移動体通信サービスは、符号分割多元アクセス（ＣＤＭＡ）という名で知られる、他の多元アクセス技術を利用しても提供することができる。ＣＤＭＡ移動体通信システムでは、基地局と特定の移動端末の間で伝送される情報は、同一無線周波数を利用している他の移動端末かへの情報と区別するために、数学的符号（例えば、拡散符号）によって変調される。このようにＣＤＭＡでは、個別の無線リンクが符号に基づいて識別される。さらに、ＣＤＭＡ移動通信では、典型的に適切に拡散される同一ベースバンド信号はいくつかの基地局から送信されるが、重複するカバーエリアを有している。移動端末はこのように、いくつかの基地局から同時に送信される信号を受信し利用する。さらに、無線環境は急速に変化するので、移動端末は恐らく同時にいくつかの基地局への無線チャネルを有するが、それは、例えば、移動端末が最良チャネルを選択し、必要であれば、無線干渉を低く、キャパシティを高く維持するために様々な基地局から移動端末への信号を利用することができるようにするためである。移動端末による、多数の基地局からの／への無線チャネルの利用は、例えばＣＤＭＡシステムにおいて発生するが、“ソフトハンドオーバー”又は“マクロダイバーシチ”と呼ばれる。ある地理的エリアでは、ＦＤＭＡ／ＣＤＭＡ若しくはＭＣ／ＣＤＭＡは、１９２０ＭＨｚから始まる周波数スペクトルにおいて利用される。ＣＤＭＡの様々な側面は、Garg,Vijay K.et al.,Applications of CDMA in Wireless/Personal Communications, Prentice Hall (1997)に記載されている。
【０００４】
伝統的なダイレクトシーケンスＣＤＭＡ（ＤＳ−ＣＤＭＡ）移動無線システムは、共通スペクトルを利用した全システムの慎重な協調が必要とされる。ＤＳ−ＣＤＭＡシステムは、セル内における全ての移動端末の、高速で正確なアップリンクパワー制御を必要とする。従って、地理的にオーバーラップするＤＳ−ＣＤＭＡシステムの動作は、問題が多い。このように、典型的にＤＳ−ＣＤＭＡは、所定のセル及び同一スペクトル内における移動端末のパワーを伝送するシステムを１以上有しない。
【０００５】
前記の考え方に従えば、もしオーバーラップするＤＳ−ＣＤＭＡシステムが拡散符号に基づいて構成され区別されるとすると、システムは十分なキャパシティを有しないであろう。この点では、第１のＤＳ−ＣＤＭＡシステムは、第１の拡散符号のサブセットに割り当てられ、第２のＤＳ−ＣＤＭＡシステムは第２の拡散符号のサブセットに割り当てられる。一般に、利用可能な符号は比較的小さい（例えば５０から１００のオーダー）ことは、心に留めておくべきであろう。さらに、もし、２以上のＤＳーＣＤＭＡシステムがオーバーラップしようとする場合、若しくは更なるＤＳ＝ＣＤＭＡシステムが同一地理的範囲に入ってくる場合には、この束縛は特に重荷になる。従来のＤＳ−ＣＤＭＡ移動無線システムは、共通スペクトルを利用した慎重な協調を必要とするが、異なるシステム（それらの間でハンドオーバーは行われない）は、同一地理的エリアでは動作できない。この理由は、ＤＳ−ＣＤＭＡシステムの鍵となる機能は、全ての接続について等価なダウンリンクパワー及び、セル内の全てのハンドセットについての高速で正確なアップリンクパワー制御に基づいているからである。それゆえに、システムのセル内において、当該システムが制御できない伝送パワーを有する１以上のハンドセットを有することは（同一周波数上では）許されない。これは、一般的用語ではnear/far問題と呼ばれる。ゆえに、例えば、広い地理的エリアにおいて、多数の移動端末を格納するためには、システム識別を単に拡散符号に基づいて行うのは適切ではない。
【０００６】
例えば、ヨーロッパにおける１９００から１９２０ＭＨｚのような、周波数スペクトラムの他のセグメントを発展させるための機会が存在する。特に期待されるのは、オーバーラップ型で、即ち、従来のＤＥＣＴの地理的範囲よりも広い範囲において動作する複数の非協調型のＤＥＣＴのようなシステムである。将来は、ＴＤＭＡ、ＦＤＭＡ、ＣＤＭＡの３つの技術が結合されるであろうと考えられる。ＭＣ／ＴＤＭＡシステムと比較した場合のＤＳ−ＣＤＭＡシステムの１の主要な利点は、レンジとトラヒックのキャパシティ間におけるトレードオフを実現できることである。しかし、特に、同一の地理的エリアに導入された非協調システム間におけるスペクトルリソースの分配は、周波数と時間ドメインにおいてのみ可能であるので（しかし、上述のnear/far問題のために符号ドメインでは不可能）、これらの３つの技術を如何にして効果的に相互作動させるかは明確ではない。
【０００７】
従来のダイレクトシーケンスＤＳ−ＣＤＭＡ移動無線システムは、共通スペクトルを利用する全てのシステムの慎重な協調を必要とするが、これは、異なるシステム（システム間でハンドオーバーができないもの）は同一の地理的エリアにおいて動作できないからである。この理由は、ＤＳ−ＣＤＭＡシステムの鍵となる機能は、全ての接続について等価なダウンリンクパワー及び、セル内の全てのハンドセットについての高速で正確なアップリンクパワー制御に基づいているからである。それゆえに、システムのセル内において、当該システムが制御できない伝送パワーを有する１以上のハンドセットを有することは（同一スペクトル上では）許されない。
【０００８】
様々な種類の瞬時の動的チャネル選択手続（ここでは、チャネル選択は、各呼ベースで行われる）の適用は、例えば、ＤＥＣＴのようなＭＣ／ＴＤＭＡシステムにおけるものが知られており、ここでは、共通スペクトル上における非協調システムを導入できる。ＤＣ−ＣＤＭＡのためのＩＤＣＳは、しかしながら、ＣＤＭＡの追加に伴う新たな問題に対応した、特定の解決策を必要とする。ＭＣ／ＴＤＭＡシステムと比較した場合のＤＳ−ＣＤＭＡシステムの１の主要な利点は、レンジとトラヒックのキャパシティ間におけるトレードオフを実現できることである。
【０００９】
それゆえに必要とされ、本発明の目的となるのは、多元アクセス技術を利用する同一地理的範囲における非協調システムのためのチャネル選択手法である。
【００１０】
本発明の大きな利点の一つは、処理ゲインが低すぎて、典型的な再利用ファクター１を利用できないＣＤＭＡシステムに適用できるということである。この場合、異なるセルについて必要とされる煩わしいチャネルプラニングは自動的に行われる。
【００１１】
[発明の概要] 第１の通信システムは、第２の通信システムと、少なくとも部分的な地理的重複カバーエリアを有し、時間分割多元アクセス（ＴＤＭＡ）のコンポーネントを伴う符号分割多元アクセス（ＣＤＭＡ）を利用する第１の通信システムにおける無線送信アクセスを伴う。第１の通信システムの基地局は、エアーインターフェースを介して加入者端末と通信士、共通ブロードキャスト物理チャネルを少なくとも動的キャリア／タイムスロットのコンビネーション上でブロードキャストする。共通ブロードキャスト物理チャネルは、ブロードキャストシステム識別情報を含む。加入者端末は、ブロードキャストシステム識別情報を利用し、第１の通信システムの伝送と第２の通信システムの伝送を区別する。さらに、加入者端末は、ブロードキャストシステム識別情報を、第１の通信システムにおけるフレーミング送信のために利用する。
【００１２】
第１のシステムにおける基地局は、異なるタイムスロット上でアクティブな少なくとも２つのブロードキャスト物理チャネルをブロードキャストする。好ましくは、固定ダイレクトシーケンスＣＤＭＡ符号が、共通ブロードキャスト物理チャネルに採用される。
【００１３】
本発明の瞬時の動的チャネル選択手続によれば、加入者端末は、アクセス要求を第１のシステム基地局に送信するためにキャリア／タイムスロットを選択する。第１のシステム基地局へアクセス要求を送信するために、第１のシステム加入者端末によって選択されるキャリア／タイムスロットはまた、トラヒックチャネルとして利用される。好ましくは、第１のシステム加入者端末は、最少干渉キャリア／タイムスロットを第１のシステム基地局へアクセス要求を送信するためのキャリア／タイムスロットとして選択する。アクセス要求に応答して、第１のシステム基地局は、第１のシステム加入者端末が第１のシステム基地局へアクセス要求を送信するために選択したキャリア／タイムスロットを伴う２重ペアに含まれる、次のダウンリンクキャリア／タイムスロットで回答する。
【００１４】
第１のシステム基地局と加入者端末間の接続は、ある時、第１の通信システムの物理チャネルにおいて発生し、当該物理チャネル符号、タイムスロット及び周波数によって定義される。
【００１５】
本発明の前述及びその他の目的、特徴及び利点は、添付図面に記載された好適な実施形態についてのより詳細な説明において明らかになるであろう。図面における共通する引用番号は、それぞれの図における対応箇所を示すものである。当該図面は、本発明の原理を図示するためにのみ利用されるものである。
【発明の実施の形態】
以下の記載において、特定の詳細は、特定のの構成、インターフェース、技術などとして記載されるが、これらは説明であって限定の目的ではなく、本発明全体の理解を提供するものである。しかしながら、本発明がこれらの詳細から逸脱することなく他の実施態様において実施できることは、当業者には明らかであろう。また、周知の装置、回路及び方法の詳細な記載は、不要な詳細により本発明の記載があいまいになることを避けるために排除される。
【００１６】
図１は、移動体通信システム２０１を示す。これは、複数の基地局ＢＳ１．１からＢＳ１．５を備え、基地局のそれぞれは、セルＣ１．１からＣ１．５までにサービスする。各基地局ＢＳは、１以上のアンテナを有しており、例えば無線チャネルなどのインターフェースを介して、それぞれのセルＣに存在する１以上の加入者端末と通信する。従って、核基地局ＢＳは、少なくとも１の無線周波数送信器及び、少なくとも１の無線周波数受信器を有する。
【００１７】
移動体通信システム２０１の基地局ＢＳ１．１からＢＳ１．５は、地上線若しくは、例えばマイクロ波リンクによって基地局制御装置とも呼ばれる無線ネットワーク制御装置（ＲＮＣ）２２１と接続されている。無線ネットワーク制御装置（ＲＮＣ）２２１は、当業者には既知のさまざまな機能を実行する。その機能には、例えば、移動加入者端末があるセルから別のセルに移動する際に必要とされるハンドオーバー機能も含まれる。図１に例として示す移動体通信システム２０１は、無線ネットワーク制御装置（ＲＮＣ）２２１によって制御される５つのセルＣを有するものとして記載されているが、本発明に対応した移動体通信システムは、より少ない若しくは、より多くのセルを有することができることは、明らかである。さらに、１以上の無線ネットワーク制御装置（ＲＮＣｓ）が、本発明の１の無線通信システムに含まれていても良い。そこでは、いずれかの無線ネットワーク制御装置（ＲＮＣ）によって制御される基地局の数の制約はなく、また、全ての無線ネットワーク制御装置（ＲＮＣｓ）は、同一の数の基地局を制御しなくてもよい。
【００１８】
無線ネットワーク制御装置（ＲＮＣ）２２１は、例えば無線によって移動交換局（ＭＳＣ）２４１に接続されている。移動通信交換局（ＭＳＣ）２４を介して、移動体通信システム２０１は、他の移動体通信システム及び固定若しくは無線通信システムへ接続する。移動体通信システムの基地局、無線ネットワーク制御装置（ＲＮＣ）、及び移動通信交換局（ＭＳＣ）ノードの構造、動作の例示記載は、一般に、引用により内容とするところの以下の米国特許出願において提供される。米国特許出願ＳＮ０９／１８８，１０２『Asynchronous Transfer Mode System』、ＳＮ０９／０３５，８２１の『Telecommunications Inter-Exchange Measurement Transfer』、ＳＮ０９／０３５，７８８『Telecommunications Inter-Exchange Congestion Control』、ＳＮ０９／０７１，８８６『Inter-Exchange Paging』。
【００１９】
本発明は、特に、複数の移動体通信システムが、少なくとも部分的にオーバーラップする地理的エリアにおいて非協調方式で動作している場合を考慮したものである。この観点から、図２は、移動体通信システム２０１の基地局ＢＳ１．１からＢＳ１．５及び、対応するＣ１．１からＣ１．５（実線で記載）を、移動体通信システム２０２及び移動体通信システム２０３の基地局及びセルと共に示す。
【００２０】
移動体通信システム２０２は、ＢＳ２．１からＢＳ２．５及び対応するセルＣ２．１からＣ２．５（図２においては、点線で示されている。）を備える。 移動体通信システム２０３は、ＢＳ３．１からＢＳ３．５及び対応するセルＣ３．１からＣ３．５（図２においては、一点鎖線で示されている。）を備える。このように、ある基地局若しくはセルに対する第１の添字は、その移動体通信システムを識別する一方で、ある基地局若しくはセルに対する第２の添字は、当該システム内の特定の基地局若しくはセルを識別することが、添字の振り方から分かる。
【００２１】
少なくともある程度の範囲において、移動体通信システム２０１、移動体通信システム２０２及び移動体通信システム２０３のそれぞれによってサービスされるカバーエリアにおける地理的オーバーラップの範囲が存在する。例えば、加入者端末ＳＳ１ａ及びＳＳ１ｂは、移動体通信システム２０１に属し、図２のような状況に置かれる。加入者端末ＳＳ１ａは、移動体通信システムの３つ全ての地理的範囲内にある。これに関しては、加入者端末ＳＳ１ａは、移動体通信システム２０１のセルＣ１．１、移動体通信システム２０２のセルＣ２．３及び移動体通信システム２０３のセルＣ３．２内に位置することが図２から分かる。加入者端末ＳＳ１ｂは、基地局ＢＳ１．３の範囲限界にあり、パワー最大限で動作する。これは、もし、同一キャリア同時に利用されればＢＳ３．３をブロックするであろう。本発明は、どの送信が加入者端末ＳＳ１ａに対するものなのかを確認し、加入者端末ＳＳ１ａを含む無線通信において利用するチャネルを動的に選択するために、加入者端末ＳＳ１ａに、それがさらされる３つの移動体通信システムの送信を識別する方法を提供する。これ以降の記載では簡単のため、加入者端末ＳＳの引用は、すべて例示的加入者端末ＳＳ１ａに対するものとして理解されたい。
【００２２】
上述のように、本発明は、システムのセル間においてチャネル再利用１が可能でない場合の、単一システムに関する問題に対応するものでもある。この場合、適当なキャリア／タイムスロットチャネル（以下を参照）は、自動的に選択され、隣接セルの接続は互いに干渉し合わない。現代のＣＤＭＡシステムは、ユーザーの瞬時のビットレートに対して処理ゲインをトレードする能力を有する。このように、ある範囲では、ユーザービットレートが増加した場合、再利用１はもはや可能ではなく、他のセルへの煩わしい手動チャネルプラニングを突然行わなければならなくなる。本発明は、このプラニングの必要性をも排除する。
【００２３】
図２に示す移動体通信システムのそれぞれは、多くの無線周波数キャリアを有し、図３に示すように時間分割多元アクセス（ＴＤＭＡ）コンポーネントを伴う符号分割多元アクセス（ＣＤＭＡ）を利用する。例えば、各移動体通信システムは、同一の４つの無線周波数キャリアＦ１からＦ４を利用する。各無線周波数キャリアＦは、複数のタイムスロットに分割される。図３に示す例では、各無線周波数キャリアＦは、１６のタイムスロットに分割されている。キャリアとタイムスロットの結合のそれぞれは、ここでは、キャリア／タイムスロットチャネルとして引用され、“Ｃ／ＴＳ”及び“ＣＨ”と略される。例えば、移動体通信システム２０１は、キャリア／タイムスロットチャネルＣＨ１．１．１からＣＨ１．１．１６を無線周波数キャリアＦ１について備え、移動体通信システム２０１は、キャリア／タイムスロットチャネルＣＨ１．２．１からＣＨ１．２．１６を無線周波数キャリアＦ２について備える。同様に、ある無線周波数キャリアＦｘについて、移動体通信システム２０２は、キャリア／タイムスロットチャネルＣＨ２．ｘ．１からＣＨ２．ｘ．１６を備え、移動体通信システム２０３は、キャリア／タイムスロットチャネルＣＨ３．ｘ．１からＣＨ３．ｘ．１６を備える。このように、キャリア／タイムロットチャネルの添字定義において、第１の要素は、移動体通信システム（例えば、移動体通信システム２０１、２０２若しくは２０３）を示し、第２の要素は、無線周波数キャリア（即ち、Ｆ１、Ｆ２、Ｆ３若しくはＦ４）を示し、第３の要素は、タイムスロット（即ち、１から１６のタイムスロットのうちの１つ）を示す。
【００２４】
２重キャリア／タイムスロットチャネルの一例は、図７ａ及び図７ｂにおいて提供される。ここで使用するように、同一フレーム内及び同一キャリア上における“２重（duplex）”の語は、アップリンクのキャリア／タイムスロットチャネルとダウンリンクのキャリア／タイムスロットチャネルのペアを意味する。図７ａと図７ｂのフレームのそれぞれは、時間間隔が１０ミリ秒であり、１６スロットを有する（各スロットは６２５マイクロ秒）。図７ａは、多重交換ポイントの構成を示す図であり、ダウンリンクのキャリア／タイムスロットチャネルは直ちに、そのペアであるアップリンクのキャリア／タイムスロットチャネルによってフォローされる。例として、網掛け表示されたダウンリンクのキャリア／タイムスロットチャネルＣＨ１．１．３は、直ちに、ダウンリンクのキャリア／タイムスロットチャネルＣＨ１．１．３とペアの、網掛け表示されたアップリンクキャリア／タイムスロットチャネルＣＨ１．１．４によってフォローされる。一方図７ｂは、単一交換ポイント構成を示す。最初の８キャリア／タイムスロットチャネルがダウンリンク用であり、フレームの最後の８キャリア／タイムスロットｃｈなえるがアップリンク用である。図７ｂにおいては、例えば、網掛け表示されたダウンリンクキャリア／タイムスロットチャネルＣＨ１．１．２は、網掛け表示されたアップリンクキャリア／タイムスロットチャネルＣＨ１．１．１０とペアになる。
【００２５】
図３に戻ると、本発明のＦＤＭＡアクセスコンポーネントは、このように、多数の無線周波数の採用に起因する。また、ＴＤＭＡアクセスコンポーネントは、各無線周波数キャリアのタイムスロットに起因する。本発明のＣＤＭＡアクセスのコンポーネントは、各キャリア／タイムスロットチャネルが複数の物理チャネルＰＣＨを格納するという事実に起因する。ここで使用されるように、各キャリア／タイムスロットチャネル（Ｃ／ＴＳ）の物理チャネル（ＰＣＨ）は、ダイレクトシーケンス（ＤＳ）ＣＤＭＡ拡散符号に基づいて識別される。そのことは図３ａに図示されており、ここでは、あるキャリア／タイムスロットチャネルＣＨ１．１．６が、物理チャネルＰＣＨ１．１．６．１からＰＣＨ１．１．６．ｎまでを有することが示されている。物理チャネルＰＣＨの最初の３つの添字要素は、そのキャリア／タイムスロットチャネルの添え字の最初の３つの要素に対応している。物理チャネルＰＣＨの添字の第４の要素は、通信接続（即ち呼）のために利用可能な特定のＤＳ−ＣＤＭＡ拡散符号を識別する。このように、各キャリア／タイムスロットチャネルにおいて、ｎ番目までの物理チャネルＰＣＨが存在することができ、それぞれはＤＳ−ＣＤＭＡ符号で分割される。同一キャリア上の同一キャリア／タイムスロットチャネル上の全ての物理チャネルＰＣＨへの送信方向は同一である。１の無線送受信器を備える基地局は、あるキャリア上の１のタイムスロットを同時に運用することができるだけである。簡単のため、他のキャリア／タイムスロットチャネルの物理チャネルＰＣＨは図３に示していないが、各キャリア／タイムスロットチャネルＣＨは、図３ａに示すのと同様に多数の物理チャネルＰＣＨを有している。
【００２６】
通常のＤＣーＣＤＭＡ方式同様、加入者端末ＳＳは、アイドル状態であろうと、通信状態であろうと、そのシステム内の最も近接する（最強の）基地局に常に固定される。自動ハンドオーバーは、同一システム内の他の基地局がより強くなった場合には直ちに行われる。最強の基地局にロックされていることは、効果的なアクセスチャネル再利用及びリンクのロバスト性において重要であり、高キャパシティにつながる。ハンドオーバーは、“シームレス”に行われるべきであるが、これは、“通信が途切れる前”を意味するものであるが、高品質サービスのためには重要である。
【００２７】
図５は、Ｌ１（物理レイヤー）、Ｌ２（データリンクレイヤー）及びＬ３（ネットワークレイヤー）の３つのプロトコルレイヤーを有する無線インターフェースの一般的構造を示す図である。データリンクレイヤー（Ｌ２）は、無線リンク制御（ＲＬＣ）及び媒体アクセス制御（ＭＡＣ）を含む。ネットワークレイヤー（Ｌ３）は、制御プレーン（Ｃ−plane)と、ユーザープレーン（U-plane）に分割される。レイヤー１は、ＴＤＤ及びＦＤＤについては非常に異なる。というのも、本発明は、レイヤー２及びレイヤー３はＴＤＤ及びＦＤＤについては可能な限り同一であるためである。物理レイヤー（ＰＨＬ）は、トランスポートチャネルで識別される媒体アクセス制御（ＭＡＣ）にサービスする。トランスポートチャネルのいくつかは共通チャネルであり、複数の移動加入者端末において利用されるとともに、ランダムアクセスチャネル（ＲＡＣＨ）、順方向アクセスチャネル（ＦＡＣＨ）、ブロードキャストチャネル（ＢＣＨ）及びページングチャネル（ＰａＣＨ）を含む。その他のトランスポートチャネルは、専用チャネル（ＤＣＨ）、即ち、基地局と移動加入者端末間でのユーザーデータ及び制御情報のための接続に利用されるチャネルである。
【００２８】
本発明は、４種類の物理チャネルを利用する。それらは共通ブロードキャスト物理チャネル（ＢＰＣＨ）、専用物理チャネル（ＤＰＣＨ）、ランダムアクセス物理チャネル（ＲＡＰＣＨ）及び、順方向アクセス物理チャネル（ＦＡＰＣＨ）である。図４は、各物理チャネルタイプを示す。（１）１以上のトランスポートチャネルが、物理チャネルに含まれる。（２）物理チャネルの方向（即ち、ダウンリンク、アップリンク）。（３）物理チャネルで採用する拡散タイプ。
【００２９】
図４に示すように、専用物理チャネル（ＤＰＣＨ）は、専用トランスポートチャネル（ＤＣＨ）を含んでおり、アップリンク及びダウンリンクの両方で発生する。固定及び可変拡散の両方は、専用物理チャネル（ＤＰＣＨ）において許可される。
【００３０】
ランダムアクセス物理チャネル（ＲＡＰＣＨ）は、加入者端末が無線アクセス、即ち、発呼のような通信接続を希望する場合に利用される。ランダムアクセス物理チャネル（ＲＡＰＣＨ）は、このようにアップリンク方向であり、ＲＡＣＨトランスポートチャネルを含む。実施形態に示すように、ランダムアクセス物理チャネル（ＲＡＰＣＨ）は、固定拡散符号を有する。以下にさらに説明するように、本発明においてランダムアクセス物理チャネル（ＲＡＰＣＨ）は、全ての潜在的アップリンクキャリア／タイムスロットチャネルにおいて利用可能である。さらに、加入者端末ＳＳは、ランダムアクセス物理チャネル（ＲＡＰＣＨ）に利用するためのキャリア／タイムスロットチャネルを動的に選択し、基地局による受領の後に、同一キャリア／タイムスロットチャネルが専用物理チャネル（ＤＰＣＨ）として接続のために採用される。
【００３１】
順方向アクセス物理チャネル（ＦＡＰＣＨ）は、ダウンリンク方向チャネルであり、ランダムアクセス要求若しくはパケット通信要求に応じて基地局により利用される。順方向アクセス物理チャネル（ＦＡＰＣＨ）は、このように、順方向アクセストランスポートチャネル（ＦＡＣＨ）を含む。実施形態に示すように、順方向アクセス物理チャネル（ＦＡＰＣＨ）は、固定拡散符号を有する。
【００３２】
図４に示すように、共通ブロードキャストチャネル（ＢＰＣＨ）は、ブロードキャスト（ＢＣＨ）及びページング（ＰａＣＨ）共通トランスポートチャネルを含む。このように、共通ブロードキャストチャネル（ＢＰＣＨ）は、ブロードキャストシステム識別子及びケイパビリティを、ダウンリンク同期情報と同様に、加入者端末へ搬送し、さらには、ダウンリンクページングチャネル（ＰａＣＨ）を加入者端末へ送信する。実施形態において、共通ブロードキャスト物理チャネル（ＢＰＣＨ）は、固定拡散符号を有する。
【００３３】
図４ａは、共通ブロードキャスト物理チャネル（ＢＰＣＨ）、ランダムアクセス物理チャネル（ＲＡＰＣＨ）及び、順方向アクセス物理チャネル（ＦＡＰＣＨ）で専用物理チャネル（ＤＰＣＨ）の構成の一例を示す図である。タイムスロットは、５１２チップのミッドアンブルと、１０２４データチップを各側に備える。また、次のスロット開始前に、９６チップのガードスペースＧＳが存在する。ミッドアンブルは、スロット及びビット同期を導き出すために利用され、必ずしもシステム識別子でなくても良い。当然に、スロットの開始におけるプリアンブルを、ミッドアンブルの代わりに利用することができる。ミッドアンブルは、すべてのシステムに共通であってもよいが、かならずしもそうである必要はない。他の実施形態では、ミッドアンブルは、システム内の基地局のそれぞれについて、地理的に固有のものであっても良い。又は、Ｃ／ＴＳ上の同時ＰＣＨのそれぞれについて固有のものであっても良い。この後者は、ジョイント・ディテクションと呼ばれる固有の復号技術が実装される場合には有効である。このように、異なる物理チャネル（ＰＣＨ）を区別する、図４の特定の拡散符号は、物理チャネルの情報内容を搬送するであろう、残りの１０２４＋１０２４＝２０４８チップにのみ適用される。可変拡散ファクター（ＳＦ）１から３２を利用して、６４から２０４８ビットが情報伝送のために各物理チャネルにおいて利用可能である。フレームレートが１００Ｈｚ（フレーム長が１０ｍｓ）となるようにサポートするために、ロービットレートは、ＳＦ＝３２について６．４ｋｂｐｓであり、ＳＦ＝１について２０４．８ｋｂｐｓである。もし１６タイムスロット有るならば、トータルチップレートは、毎秒１６×（５１２＋２０４８＋９６）×１００＝４，２４９，６００チップである。この場合、変調方式次第で５ＭＨｚ広帯域周波数キャリア上で実装されることができる。
【００３４】
好適な実施形態では、ＲＡＰＣＨ，ＦＡＰＣＨ及びＤＰＣＨについてＳＦ＝１６である。これは、１２．８ｋｂｐｓ（１２８ビット／スロット）である。これは、ＤＰＣＨ音声サービス及び、高速なＲＡＣＨ及びＦＡＣＨ転送にも好ましい。ＲＡＣＨ若しくはＦＡＣＨメッセージをどのように作成するかは既知であり、ここでさらに記載する必要はない。例えば、ＢＰＣＨ上のＢＣＨ及びＰａＣＨ情報のマッピングである。
【００３５】
好適な実施形態では、ＢＰＣＨについてＳＦ＝３２またはそれ以上である。何故なら、ＢＰＣＨ情報が、すべてのアイドル状態にある加入者端末ＳＳによって受信されることが重要だからである。ＦＳ＝３２は、６．４ｋｂｐｓ若しくは６４ビット／スロットを与える。すべてのＢＰＣＨ情報が１のスロットにおいてフィットしないのではなく、そのことは必要とされない。それゆえに、マルチフレームが図６において定義されている。そこでは、１６フレームを備え、各フレームは１６キャリア／タイムスロットチャネル（図７ｂ参照）ＣＨｘ．ｘ．１からＣＨｘ．ｘ．１６を備える。図６において、１６キャリア／タイムスロットチャネルは、第１のフレームにおいてのみ示されているが、全ての１６フレームが１６キャリア／タイムスロットチャネルを有することは理解されよう。２以上のマルチフレームにおける異なるフレーム内の全ての異なるタイプのＢＰＣＨ情報にフィットすることが可能である。このため、及び、有効なＢＰＣＨ情報を受信するために、どのフレームが来ているかが正確に把握できないとしても、１フレームの６４データビットのうち、４ビットは情報タイプを示すものとして、残りの６０ビットはコーディング及び所望の情報を示すものとして分割される（図４ｂ参照）。
【００３６】
移動通信システムのために、ＢＣＨ及びＰａＣＨにおいて要求される情報タイプは既知であるが、表１は、要求される情報タイプの例を示すと共に、どのように識別され、マルチフレーム内の異なるフレームにマッピングされるのかを示す。表１における異なる情報タイプは、異なる優先度を有するマルチフレーム上にマッピングされる。ページングは最高優先度であり、すべての奇数フレーム上で送信される。セーブモードでアイドル状態に有る加入者端末は、フレーム１を聞くだけでよい。全てのページングフレームは、マルチフレーム内の次の奇数フレームが何らかのページング内容を有しているか否かを示すビットを有している。このようにフレーム１は、ページング情報が現在のマルチフレームにおける後続のいずれかの奇数フレーム内に存在するかどうかを知らせるものである。もし、奇数フレームで送信べきページング情報がない場合は、加入者端末は、フレームが発生するまでスリープ状態に戻る。
【００３７】
【表１】
2002537740.tif 000001
【００３８】
あるＣＤＭＡシステムは、特定の同期チャネルを定義する。ここには、あるシステムの識別情報が含まれてもよいし、含まれなくても良い。本発明ではそのような情報は要求されない。何故なら、チップ、ビット及びスロット同期は、共通ブロードキャスト物理チャネル（ＢＰＣＨ）（及び他のＰＣＨのすべて）のミッドアンブルを伴う共通構成において提供され（図４ａ参照）、残りの同期及びシステム識別情報は、ＢＣＨによって与えられるからである（表１参照）。
【００３９】
共通ブロードキャスト物理チャネル（ＢＰＣＨ）は、各動的ダウンリンクキャリア／タイムスロットチャネルＣＨ、即ち、動的専用物理チャネル（ＤＰＣＨ）を伴うキャリア／タイムスロットチャネル上で分配される。図８ａは、移動体通信システム２０１における周波数キャリアＦ１についての２重チャネルのための単一交換ポイント構成を示す。ここで、キャリア／タイムスロットチャネルＣＨ１．１．１、ＣＨ１．１．４、ＣＨ１．１．５及びＣＨ１．１．８は、アクティブトラヒックを有する（網掛け表示で示されているように）。それゆえに、キャリアタイムスロットＣＨ１．１．１、ＣＨ１．１．４、ＣＨ１．１．５及びＣＨ１．１．８は、共通ブロードキャスト物理チャネル（ＢＰＣＨ）を搬送する。
【００４０】
もし、２以下の動的ダウンリンク専用物理チャネル（ＤＰＣＨ）があった場合、基地局は、１もしくは２のダミー共通ブロードキャスト物理チャネル（ＢＰＣＨ）を異なるキャリア／タイムスロットチャネル上に必要に応じて生成する。基地局がＢＰＣＨによって利用される特定のキャリア／タイムスロットチャネル上に他の物理チャネルを有しないときに、ＢＰＣＨは、ダミーＢＰＣＨと呼ばれる。図８ｂに示す状況では、基地局からの動的ダウンリンク専用物理チャネル(ＤＰＣＨ)が存在しない。このことは、基地局がＣＨ１．１．４及びＣＨ１．１．８のような異なるキャリア／タイムスロットチャネル上で二つのダミー共通ブロードキャスト物理チャネル(ＢＰＣＨ)を生成しなければならないことを意味する。ＣＨ１．１．４及びＣＨ１．１．８のような、二つのダミー共通ブロードキャスト物理チャネル(ＢＰＣＨ)は、それぞれ共通ブロードキャスト物理チャネル(ＢＰＣＨ)を搬送する。もし、基地局からの、１のみの動的ダウンリンク専用物理チャネル(ＤＰＣＨ)が存在した場合は、当該基地局は、１のダミー共通ブロードキャスト物理チャネル(ＢＰＣＨ)を生成しなければならないだろう。１の無線送受信器を備える加入者端末は、同時に１キャリア上の１タイムスロットでしか運用できない（しかし、マルチキャリア状況では、異なるタイムスロット上の異なるキャリア上で運用可能である。）。少なくとも二つの異なるタイムスロット上でアクティブなＢＰＣＨを常に有することにより、加入者端末は、１タイムスロット上で通信が可能であり、同一システムの周囲のセルを検出して、（加入者端末の移動性により）それらが現在の基地局より強くなった場合には直ちに、迅速なハンドオーバーを実行することが出来る。
【００４１】
ダミー共通ブロードキャスト物理チャネル（ＢＰＣＨ）は基地局によりセットアップされ、最少干渉キャリア／タイムスロットチャネル上で維持される。そうするためには、基地局は、周期的に（例えば、毎秒）各キャリア／タイムスロットチャネルについて干渉電力を検査し、もし、必要となれば、ダミー共通ブロードキャスト物理チャネル(ＢＰＣＨ)から、新しい最良のキャリア／タイムスロットチャネルへ移動する。そうすることにおいて、アイドル状態にあるロックされたハンドセットがスリープ状態の場合に、フレーム間で短いポーズができる。共通ブロードキャスト物理チャネル(ＢＰＣＨ)が、トラヒックによりすべてのダウンリンクキャリア／タイムスロットチャネル上でアクティブになっているので、ダミー共通ブロードキャスト物理チャネル(ＢＰＣＨ)は、二つのキャリア／タイムスロットチャネルがトラヒックを伝達するときにリリースされる。必要な場合は、ダミー共通ブロードキャスト物理チャネル(ＢＰＣＨ)は再びアクティブとなり、同一キャリア上の少なくとも二つのダウンリンクキャリア／タイムスロットチャネルは、常にダミー共通ブロードキャスト物理チャネル(ＢＰＣＨ)を有する。基地局は、例えば、シームレスハンドオーバーにおけるブラインドスロットの排除を目的として、少なくとも一つのスロットセパレーションを有するべく異なるタイムスロットを選択しても良い。図１２は、セル１からセル２へシームレスハンドオーバーを行う際に、どのようにしてブラインドスロットが排除されるかの一例を示す図である。もし、セル２にトラヒックが無かった場合、キャリア２上で伝送されるトラヒックは、第２のダミーＢＰＣＨであろう。
【００４２】
このように、本発明によれば、各基地局からの少なくとも二つのキャリア／タイムスロットチャネルが、共通ブロードキャスト物理チャネル(ＢＰＣＨ)を有する。アクティブダウンリンク専用物理チャネル（ＤＰＣＨ）を有する全てのキャリア／タイムスロットチャネルはまた、共通ブロードキャスト物理チャネル(ＢＰＣＨ)を図８ａに示す手法により伝送する。
【００４３】
図９は、加入者端末ＳＳの構成例を示す図である。加入者端末ＳＳは、ここで記載される加入者端末ＳＳは、いかなるタイプの移動体通信ユニットであっても良く、例えば、移動体もしくはポータブルコンピュータを含む。加入者端末ＳＳは、レシーバー及び復調器９−１２と、トランスミッタ及び変調器９−１４にスイッチ９−１３によってに適切に接続されたアンテナ９−１０を備える。加入者端末ＳＳの全体の制御及び、加入者端末ＳＳのためのアプリケーションロジックは、プロセッサ及び制御／アプリケーションロジック９−１５に位置する。これ以降は簡単のため、プロセッサ及び制御／アプリケーションロジック９−１５を、単にプロセッサ９−１５と呼ぶ。
【００４４】
加入者端末ＳＳの受信側では、レシーバー及び復調器９−１２によって復調された情報が、フレーマー及びスロット同期ユニット９−１６、及び、ＤＳー符号除去ユニット９−１８に適用される。レシーバー及び復調器９−１２とフレーマー及びスロット同期ユニット９−１は、プロセッサ９−１５からの制御線で示されるように、プロセッサ９−１５によって制御される。加入者端末ＳＳは、所定の、又は、元々のダイレクトシーケンス（ＤＳ）拡散符号を含む、１以上の拡散符号及び、図４を引用して上述した特定の物理チャネルのために採用される（実施形態においては）固定拡散符号を利用して動作する。加入者端末ＳＳによって採用される拡散符号は、プロセッサ９−１５に格納される。プロセッサ９−１５は、ＤＳ符号除去ユニット９−１８に、ライン９−２０を介して拡散符号のパラメータを与える。プロセッサ９−１５にから供給された符号パラメータを利用して、ＤＳ符号除去ユニット９−１８は、入来送信が、加入者端末ＳＳに元々ある符号と同一の拡散符号を有するのか、もしくは、加入者端末ＳＳが属する移動体通信システム２０１の共通物理チャネルのために利用される固定拡散符号を有するのかを決定する。もし、ＤＳ符号除去ユニット９−１８が、元々のもしくは、固定の拡散符号を検出すると、入来送信を復号する。入来送信からえられた復号データは、マルチプレクサ及びデマルチプレクサユニット（mux & demux９−２２）に適用される。データは、マルチプレクサ及びデマルチプレクサ９−２２とプロセッサ９−１５との間でデータバス９−２４上で双方向通信される。制御情報は、マルチプレクサ及びデマルチプレクサ９−２２とプロセッサ９−１５との間でデータバス９−２６上で双方向通信される。
【００４５】
加入者端末SSのプロセッサ９−１５内に含まれる制御及びアプリケーションロジックは、さまざまなタイプが存在しえる。プロセッサ９−１５によって実行される典型的な制御及びアプリケーションロジックの内容の一例を、以下にさらに詳細に説明する。さらに、プロセッサ９−１５は、インターフェースバス９−３２を介してユーザーインターフェース９−３０と通信する。典型的な移動通信電話の場合、ユーザーインターフェース９−３０は、例えば電話キーパッドを含むことが出来る。
【００４６】
その送信側では、プロセッサ９−１５からｍｕｘ＆ｄｅｍｕｘ９−２２へゲートされたデータは、ＤＳ符号不可ユニット９−４０へ適用される。ＤＳ符号不可ユニット９−４０は、ライン９−４２を介してプロセッサ９−１５から受信した元来のもしくは固定のＤＳ符号パラメータを利用して、データを符号化する。符号化されたデータは、トランスミッタ及び変調器９−１４によって、変調され、フレーマー及びスロット同期ユニット９−１６によって、正確なフレーム及びキャリア／タイムスロットチャネルに入れられる。フレーム化された情報は、トランスミッタ及び変調器９−１４を解してアンテナ９−１０へ送信される。トランスミッタ及び変調器９−１４は、制御の目的でプロセッサ９−１５に接続されている。スイッチ９−１３は、フレーマー及びスロット同期ユニット９−１６から制御され、アンテナ９−１０を、送信スロット間はトランスミッタ９−１４へ、受信スロット間はレシーバー９−１２へ接続する。
【００４７】
上述の物理チャネル及び加入者端末ＳＳにより、図２に示すような状況にある加入者端末ＳＳが、どのように（移動体通信システム２０２、移動体通信システム２０３の外部送信の中で）移動体通信システム２０１と通信するかが理解できるであろう。例えば、もし加入者端末ＳＳが、図１０のステップ１０−１においてパワーオンされたとする。スタートアップの後、加入者端末ＳＳのレシーバー及び復調器９−１２は、ステップ１０−１で例えば、所定の１以上の無線周波数キャリアＦ１−Ｆ４のような、元来の周波数を監視する。ステップ１０−２では、元来の周波数上で受信した情報が、ＤＳ符号除去ユニット９−１８によって復号される。ここでは、移動体通信システム２０１の共通ブロードキャスト物理チャネル（ＢＰＣＨ）に利用される拡散符号の検出を試みる。実施の形態では、共通ブロードキャスト物理チャネル(ＢＰＣＨ)に採用される拡散符号は、固定拡散符号である。このことは、共通ブロードキャスト物理チャネル(ＢＰＣＨ)の拡散符号が共通ブロードキャスト物理チャネル（ＢＰＣＨ）を検出するために全ての（或いは、少なくとも複数の）加入者端末によって利用されることを意味する。ＤＳ符号除去ユニット９−１８は、移動体通信システム２０１の共通ブロードキャスト物理チャネル（ＢＰＣＨ）に採用される拡散符号を検出すると、ｍｕｘ＆ｄｅｍｕｘ９−２２は、ＢＰＣＨ情報をプロセッサ９−１５に送信する。プロセッサ９−１５は、ステップ１０−３において、共通ブロードキャスト物理チャネル(ＢＰＣＨ)の情報内容を検証する。特に、ステップ１０−３では、共通ブロードキャスト物理チャネル(ＢＰＣＨ)に含まれるシステム識別子（表１を参照）が検証される。ステップ１０−４では、プロセッサ９−１５が、共通ブロードキャスト物理チャネル(ＢＰＣＨ)内のシステム識別子が、加入者端末ＳＳのプロセッサ９−１５のアプリケーションロジック内のシステム識別子と同一かどうかを調べる。これに関して、他の移動体通信システムは、同一拡散符号を共通ブロードキャスト物理チャネル(ＢＰＣＨ)に利用することができるので、チェックステップ１０−３及び１０−４は、必要であることに注意すべきである。
【００４８】
他の実施形態では、ＤＳ符号除去ユニット９−１８は、システム識別子と共にプロセッサ９−１５からロードされる。ステップ１０−３及び１０−４は、ＤＳ符号除去ユニット９−１８内のハードウェア符号である。これは、もしプロセッサ９−１５がシステム認証を十分迅速に実行できるほど高速でない場合に有効である。
【００４９】
復号された共通ブロードキャスト物理チャネル(ＢＰＣＨ)が、実際、加入者端末ＳＳが加入する移動体通信システム２０１のためのものであることが決定されると、ステップ１０−５において、加入者端末ＳＳは、フレームシーケンス番号、キャリア／タイムスロットチャネル番号、及び、同期情報を共通ブロードキャスト物理チャネル(ＢＰＣＨ)から取得し（表１参照）、プロセッサ９−１５内に格納する。このように、共通ブロードキャスト物理チャネル(ＢＰＣＨ)から取得したフレームシーケンス番号、キャリア／タイムスロットチャネル番号、及び、同期情報により、加入者端末ＳＳは、その移動体システム２０１のフレーミングにロックすることが出来る。それにより、移動体システム２０１からの送信と、他の移動体システムからの送信を識別する。
【００５０】
図１０のステップの上述の記載は、共通ブロードキャスト物理チャネル(ＢＰＣＨ)を検出するための元来の周波数の監視、及び、それにより加入者端末ＳＳが属する移動通信電話システムにロックすることに関するものである。本発明は、また、図１１に示す基本的ステップと共に以下に記載するような動的なチャネル選択処理を提供する。
【００５１】
図１１におけるステップ１１−０は、ユーザーインターフェース９−３０からのユーザーの無線アクセス要求を受信する加入者端末ＳＳのプロセッサ９−１５を示す。そのようなユーザーのアクセス要求は、被呼者番号をダイヤルし、ユーザーインターフェース９−３０上の送信キーをアクティブにする形式をとる。ユーザー要求はまた、ページングされる加入者端末からのリング信号に応答して、送信キーをアクティブにすることであっても良い。このとき、加入者端末ＳＳは、図１０と関連して記載した手順に従って、移動体システム２０１と同期している。そのような場合、ステップ１１−１において、加入者端末ＳＳのプロセッサ９−１５は、フレームの各タイムスロットを監視する。ステップ１１−２でフレームがダミー共通ブロードキャスト物理チャネル(ＢＰＣＨ)（図８ｂ参照）を搬送するタイムスロットを有することが決定されると、ステップ１１−３では、加入者端末ＳＳは、ステップ１１−２で選択されたタイムスロットが、加入者端末ＳＳで要求される所定の最少閾値ＴＳＳを超える信号対混信比（ＳＩＲ）を有するかどうかを決定する。信号対混信比（ＳＩＲ）は、レシーバー及び復調器９−１２で計測される。最少閾値ＴＳＳを超えていない場合は、ステップ１１ー２に戻り、ダミー共通ブロードキャスト物理チャネル(ＢＰＣＨ)を搬送する他のキャリア／タイムスロットチャネルを探す。もしそれがあれば、１１−３のチェックステップを繰り返す。ダミー共通ブロードキャスト物理チャネル(ＢＰＣＨ)を搬送するキャリア／タイムスロットチャネルが最少閾値ＴＳＳを超えるとステップ１１−３で決定されれば、ステップ１１−４で、加入者端末ＳＳは基地局に対し無線アクセス要求を出す。無線アクセス要求は、ダミー共通ブロードキャスト物理チャネル(ＢＰＣＨ)を搬送するキャリア／タイムスロットチャネルの２重ペア内の、ランダムアクセス物理チャネル（ＲＡＰＣＨ）を介して実行される。例えば、もし加入者端末ＳＳが、ダミー共通ブロードキャスト物理チャネル(ＢＰＣＨ)を搬送する図８ｂのキャリア／タイムスロットチャネルＣＨ１．１．４を選択した場合、ステップ１１−４におけるアクセス要求は、キャリア／タイムスロットチャネルＣＨ１．１．１２で搬送されるランダムアクセス物理チャネル(ＲＡＰＣＨ)で送信される（図８ｂ参照）。
【００５２】
ステップ１１−４におけるアクセス要求が送信された後、ステップ１１−５において加入者端末ＳＳのプロセッサ９−１５は、２重チャネルペアの第１の利用可能なダウンリンクキャリア／タイムスロットチャネルにおける順方向アクセス物理チャネル（ＦＡＰＣＨ）において、アクセス要求に対する肯定的な応答を受信したかどうかをチェックする。図８ｂを含む前述の図において、ステップ１１−４において、アクセス要求はキャリアタイムスロットチャネルＣＨ１．１．１２内に発生し、ステップ１１−５において、順方向アクセス物理チャネル（ＦＡＰＣＨ）が、次のフレームのキャリア／タイムスロットチャネルＣＨ１．１．４内に存在することが期待される。もし、アクセス要求に対する基地局からの肯定的な応答が、ステップ１１−５において決定された適切なキャリア／タイムスロットチャネルで提供された場合、ステップ１１−６では、加入者端末ＳＳは、２重キャリア／タイムスロットチャネル利用をセットアップする。
【００５３】
ステップ１１−６における２重利用セットアップにおいて、アクセス要求を搬送するアップリンクキャリア／タイムスロットチャネル（例えば図８ｂのキャリア／タイムスロットチャネルＣＨ１．１．１２）は、接続のためのアップリンク専用物理チャネル（ＢＰＣＨ）のために採用される。その一方で、ダミー共通ブロードキャスト物理チャネル（ＢＰＣＨ）及び、順方向アクセス物理チャネル（ＦＡＰＣＨ）を搬送するダウンリンクキャリア／タイムスロットチャネルは、接続のためにダウンリンク専用物理チャネル（ＤＰＣＨ）として利用される。実施径庭において、ステップ１１ー６より前（即ち、２重キャリア／タイムスロットチャネル利用を確立する前）に送信されるメッセージは、固定拡散符号で符号化され、接続が図３に示すような物理チャネルＰＣＨの一つを取得するように、加入者端末ＳＳ本来の拡散符号は利用される。例えば、アップリンク上で接続に物理チャネルＰＣＨ１．１．１２．１（即ち、キャリア／タイムスロットチャネルＣＨ１．１．１２．１の第１の拡散符号を利用した物理チャネルＰＣＨ）を利用しても良いし、ダウンリンク上で、接続に物理チャネルＰＣＨ１．１．４．１（即ち、キャリア／タイムスロットチャネルＣＨ１．１．４．１の第１の拡散符号を利用した物理チャネルＰＣＨ）を利用しても良い。
【００５４】
ステップ１１−５との接続において、基地局がステップ１１−４のアクセス要求に対する肯定的応答送信する前に、基地局は、最初に、要求に含まれるアップリンクキャリア／タイムスロットチャネルについて基地局が測定した信号対混信比（ＳＩＲ）が、最少閾値ＴＢＳを超えるかどうかを決定しなければならない。もし、最少閾値ＴＢＳを超える場合、基地局は肯定的応答を順方向アクセス物理チャネル（ＦＡＰＣＨ）上で加入者端末ＳＳへ送信することができる。もし、最少閾値ＴＢＳを超えない場合は、基地局はアクセス要求に対して応答しない。ステップ１１−５において、加入者端末ＳＳが応答を受信しない場合、加入者端末ＳＳは、ステップ１１−２に戻り、別のダミー共通ブロードキャスト物理チャネル（ＢＰＣＨ）を探す。
【００５５】
ダミー共通ブロードキャスト物理チャネル（ＢＰＣＨ）が存在しないか、既存のダミー共通ブロードキャスト物理チャネル（ＢＰＣＨ）のキャリア／タイムスロットチャネルが利用不可能である場合、ステップ１１−１０において、加入者端末ＳＳは、現在加入者端末ＳＳを扱う基地局からのもので、関連するキャリア／タイムスロットチャネルのＳＩＲが加入者端末ＳＳの最少閾値ＴＳＳを超えるアクティブな専用物理チャネル（ＤＰＣＨ）が有るかどうかを決定する。もしそのようなキャリア／タイムスロットチャネルが存在する場合は、ステップ１１−１１で、加入者端末ＳＳのプロセッサ９−１５は、最大ＳＩＲを有するキャリア／タイムスロットチャネルを選択する。その後、加入者端末ＳＳは、そのアクセス要求を送信する（ステップ１１−１２）と共に、最大ＳＩＲを有するキャリア／タイムスロットチャネルを利用して２重ＤＰＣＨをセットアップする（ステップ１１−１４）前に応答をチェックする（ステップ１１−１３）。ステップ１１−１２、ステップ１１−１３及びステップ１１−１４は、本質的に、上記の１１−４、１１−５及び１１−６のそれぞれと同一であると言えるが、ダミー共通ブロードキャスト物理チャネル（ＢＰＣＨ）を有するキャリア／タイムスロットチャネルではなく、ＳＩＲ最大の専用物理チャネル（ＤＰＣＨ）を有するキャリア／タイムスロットチャネルを含むものである。
【００５６】
加入者端末ＳＳは、ステップ１１−１３においてアクセス要求に対する基地局からの回答が得られない場合は、加入者端末ＳＳは、ステップ１１−１０に戻り、加入者端末ＳＳの最少閾値ＴＳＳを超える専用物理チャネル（ＤＰＣＨ）を有する他のキャリア／タイムスロットチャネルが、基地局にあるかどうかを決定する。そのような他のキャリア／タイムスロットチャネルが存在する場合は、ステップ１１−１２、ステップ１１−１３、及びステップ１１−１４を、ＳＩＲが次に最大の専用キャリア／タイムスロットチャネルを有するキャリア／タイムスロットチャネルに関して実行する。
【００５７】
ステップ１１−１０において決定されるような、加入者端末ＳＳの基地局にとってクオリファイされた専用物理チャネル（ＤＰＣＨ）を有するキャリア／タイムスロットチャネルが存在しない場合、ステップ１１−２０において加入者端末ＳＳは、近隣の基地局からの、検出可能な専用物理チャネル（ＤＰＣＨ）を有する別のキャリア／タイムスロットチャネルが、加入者端末ＳＳの最少閾値ＴＳＳを超えるかどうかを決定する。もし、１以上のそのような専用物理チャネル（ＤＰＣＨ）が近隣の基地局に存在する場合は、その専用物理チャネル（ＤＰＣＨ）を備えるキャリア／タイムスロットチャネルに関して、ステップ１１−２１からステップ１１−２４を実行する。ステップ１１−２１からステップ１１−２４は、本質的に、ステップ１１−１２、ステップ１１−１３及びステップ１１−１４と同一であり、ステップ１１−２１からステップ１１−２４は、加入者端末ＳＳの基地局（加入者端末ＳＳが同期しロックされている基地局）ではなく、隣接する基地局からの専用物理チャネル（ＤＰＣＨ）を備えるキャリア／タイムスロットチャネルに付随する。
【００５８】
ステップ１１−１０において決定されるような、加入者端末ＳＳの隣接基地局にとってクオリファイされた専用物理チャネル（ＤＰＣＨ）を有するキャリア／タイムスロットチャネルが存在しない場合、もし、１以上のキャリアが、加入者端末ＳＳがロックされる基地局によってサポートされているなら、ステップ１１−３０において加入者端末ＳＳは、任意に選択されたキャリア（Ｆ１からＦ４）上の最低干渉度のキャリア／タイムスロットチャネルを利用して、新たな２重ＤＰＣＨ接続を確立する。新たな２重ＤＰＣＨ接続の確立は、上述の対比可能なステップ１１−２１から１１−２４から理解される。
【００５９】
加入者端末ＳＳにおける最少閾値ＴＳＳ及び、基地局における最少閾値ＴＢＳは、いくつかのファクターに依存している。これらのファクターは、処理ゲイン量、キャリア／タイムスロットチャネルをすでに利用する接続数及び特定の符号検出方法のパフォーマンス及び同一キャリア／タイムスロットチャネル上の符号の識別能力を含むものである。最適閾値は、サービスによって異なり、呼のタイプに応じて呼から呼へ適応されてもよい。
【００６０】
このように、発呼もしくはハンドオーバーのために、加入者端末ＳＳは、最低干渉度２重キャリア／タイムスロットチャネルを選択し、最強基地局への２重キャリア／タイムスロットチャネル上のランダムアクセス物理チャネル（ＲＡＰＣＨ）及び順方向アクセス物理チャネル（ＦＡＰＣＨ）を介して、ダイレクトＤＰＣＨをセットアップ（２０ｍｓ）する。これは、迅速なＤＰＣＨアクセスを提供する。ハンドオーバーは、加入者端末ＳＳによって分散され、制御される。これは、固定的なインフラにおける、複雑な協調若しくは、変則的なチャネル選択の要請を排除する。ＤＰＣＨ選択が基本的に加入者端末ＳＳによって実行されるという事実は、ブラインドスポット情報又はシステム側からの制御のような補足情報を排除するものではない。
【００６１】
本発明は、このように、ＴＤＭＡコンポーネント及び又は多数キャリア（例えばＦＤＭＡ）を有するダイレクトシーケンスＣＤＭＡ移動無線システムに対し、瞬時の動的チャネル選択処理を提供する。“瞬時に”とは、例えば、呼ごと、もしくは、接続ベースで、基地局の必要に応じてチャネル選択が行われることを意味する。当該選択は、ハンドセット、即ち加入者端末ＳＳによって行われるので便利である。
【００６２】
本発明の瞬時の動的チャネル選択は、最低干渉度チャネル（ＬＩＣ）を定義することに基づいている。２重トラヒックチャネルについて、最低干渉度チャネル（ＬＩＣ）は、２重キャリア／タイムスロットチャネルペアであり、ここでは、ダウンリンクは、加入者端末ＳＳにおいて計測された全てのキャリア／タイムスロットチャネルペアにのうち最低無線信号強度表示（ＲＳＳＩ）である。共通ブロードキャスト物理チャネル（ＢＰＣＨ）、若しくはダウンリンク単一トラヒックチャネル、最低干渉度チャネル（ＬＩＣ）は、２重キャリア／タイムスロットチャネルペアのダウンリンクであり、キャリア／タイムスロットチャネルペアの二つのスロットのどれかの最高ＲＳＳＩは、全てのキャリア／タイムスロットチャネルペアの基地局において計測された最低値を有する。２重（若しくは、アップリンク単一）トラヒックチャネルの代わりとして、２重キャリア／タイムスロットチャネルペアに属するスロットとして、最低干渉度Ｃ／ＴＳチャネルを定義することは可能である。ここで、ＲＳＳＩが最高のキャリア／タイムスロットチャネルペアの二つのスロットは、何れも、全てのキャリア／タイムスロットチャネルペアの加入者端末における最低値を有する。
【００６３】
効果的な瞬時の動的チャネル選択は、統計的大数の法則に基づく。これは、良好なチャネルを選択するための選択肢が可能なかぎり多くあることを意味する。良好なチャネルとは、良好な信号対混信比（ＳＩＲ）を有する確立が高く、同一システム若しくは他のシステムにおける既存の接続と干渉する確立が低いチャネルをいう。瞬時の動的チャネル選択の効果的な適用は、新しい呼のセットアップにおいて、時に既存の呼との干渉を起こしてしまう。その場合は、別のキャリア／タイムスロットチャネルへ逃げなければならない（例えば、ハンドオーバーを行う）であろう。これは、トラヒックチャネルだけではなく、ブロードキャスト、同期、ページング及びアクセスチャネルが、動的に選択される限り（本発明においてはこれが起こる）は問題ない。
【００６４】
このように、本発明において、ＢＰＣＨ若しくは、ＲＡＰＣＨ若しくはＦＡＰＣＨのための、特定のキャリア若しくはキャリア／タイムスロットチャネルは存在しない。この場合、干渉するようなものは、全体の基地局が実施できないであろう。これらのチャネルの固定的な位置は、すべてのシステム間におけるコストがかかり、現実的ではない時間同期と同様に、プラニングを強制するであろう。
好ましくは、本発明は、瞬時の動的チャネル選択処理を、ＤＳ−ＣＤＭＡ符号化処理によって適用される処理ゲイン量とは独立に行うことができる。更なる処理ゲインは、同一タイムスロット上により多くの呼が存在することを意味する。本発明は、このように、異なるチャネル及び接続上で実装された異なる可変の処理ゲインに関連する。この特徴を、非常に低い処理ゲイン（例えば、１まで）まで落とすためには、共通ブロードキャスト物理チャネル（ＢＰＣＨ）の一部が、専用物理チャネル（ＤＰＣＨ）と時間マルチプレックスされることが必要である。この時間マルチプレックスは、各スロット若しくは、適当ないくつかのスロットに渡って実行することができる。１の物理チャネル（ＢＰＣＨ）のみが供されるために、いくつかの若しくは、全てのキャリア／タイムスロットチャネルの処理ゲインが低い場合、全部の共通ブロードキャスト物理チャネル（ＢＰＣＨ）は、これらのキャリア／タイムスロットチャネル上で、専用物理チャネル（ＤＰＣＨ）と時間マルチプレックスされなければならない。これによりは、共通ブロードキャスト物理チャネル（ＢＰＣＨ）は、すべてのアクティブなキャリア／タイムスロットチャネル上で利用可能となる。このような状況では、図１１の処理はステップ１１−１０及びステップ１１−２０のチェックがバイパスされることにより能率化される。これに関して、順方向アクセス物理チャネル（ＦＡＰＣＨ）は、同様に時間マルチプレックスされなければならないであろう。
【００６５】
本発明はまた、共通スペクトル割当上に、非協調ＤＳ−ＣＤＭＡ移動無線システムを導入することができる。本発明は、まず同一地理的エリアにおける多数の居住システムやオフィスシステムに適用されることを意図するが、それに限定されるものではない。例えば、図２の移動体通信システム２０１から２０３は、オフィスパークや技術地域に全て位置する、異なる企業若しくは施設が運用することができる。本発明は、スペクトルが、ある公共オペレーターに排他的に割当てられているものに適用しても、複数オペレーターが利用可能な共通（ライセンス不要な）割当のものに適用しても良い。
【００６６】
本発明は、異なるシステム接続に、異なるキャリア／タイムスロットチャネルを利用させることにより、地理的にオーバーラップした異なるＤＳ−ＣＤＭＡシステムの効果的な採用を可能とする。適切なキャリア／タイムスロットチャネルを選択するために利用される本発明の瞬時の動的チャネル選択処理により、異なるキャリア／タイムスロットチャネルは、異なるシステム間の無線接続に必要な隔離をもたらす。
【００６７】
本発明のさらなる利点は、瞬時の動的チャネル選択を行うマルチキャリア（ＭＣ）ＴＤＭＡシステムの適切なクラスと共存することができることである。
【００６８】
特定の実施形態において、４つの無線周波数キャリアＦ１からＦ４は、周波数レンジ１９００から１９２０ＭＨｚにおいて提供される。本発明は、４つの周波数キャリアに限定されること無く、また、１無線周波数キャリアについて１６タイムスロットに限定されるものでもない。より多く、若しくはより少ない無線周波数キャリアを利用することもできるし、それと同様により多く若しくは、より少ないタイムスロットを１無線周波数について利用することができることが理解されよう。実際、本発明は、１の無線周波数キャリアのみを利用する移動体通信システムでも実施可能である。
【００６９】
ここに記載される実施形態は、固定拡散符号を、共通ブロードキャスト物理チャネル（ＢＰＣＨ）、ランダムアクセス物理チャネル（ＲＡＰＣＨ）、及び順方向アクセス物理チャネル（ＦＡＰＣＨ）について有する。固定拡散符号は、所定のＤＳ−ＣＤＭＡ符号であり、復号化及び符号化のために、直ちにこれらの物理チャネルに適用してことができ、これにより利益をもたらす。しかしながら、本発明には、これらの物理チャネルについて可変拡散符号が利用可能な実施形態も含まれることは理解されるべきである。
【００７０】
図９は、加入者端末ＳＳの構成を示す。本発明の目的からすれば、基地局の実施形態においても同様のコンポーネントが存在することは理解されるべきである。そのようなき地局の実施形態では、プロセッサは、基地局を制御し、アプリケーションロジックを適切に実行すると共に、基地局ユーザーインターフェースに接続される。
【００７１】
ここで記載される実施形態は、ＴＤＭＡコンポーネントを伴うＣＤＭＡ移動体通信システムである。しかしながら、ＴＤＭＡコンポーネントは、必ずしも必要無く、かつ、本発明の原理はＦＤＭＡコンポーネントのみを有するＣＤＭＡにも適用可能であることは理解されるべきである。従って、ここで記載する瞬時の動的チャネル選択は、一般に周波数及び時間ドメインの両方に適用され、本発明は、これらのドメインの一方のみが利用可能な場合でも同様に適用可能である。
【００７２】
上述のように、瞬時の動的チャネル選択は、本発明の有益な特徴である。本発明における瞬時の動的チャネル選択は、平均的に、固定チャネル割当（ＦＣＡ）が同一の所定の阻止確立において提供するものより、短い地理的距離におけるチャネル再利用を可能とし、局地的に利用可能な干渉制限トラヒック容量は、固定チャネル配置（ＦＣＡ）に比べて増加する。しかしながら、本発明の側面は、固定チャネル割当（ＦＣＡ）を代わりに利用することよっても実施できることは理解されるべきである。このように、本発明の特徴は、瞬時の動的チャネル選択をかならずしも必要と得ず、瞬時の動的チャネル選択を要求するものとして解釈されるべきではない。
【００７３】
様々な２重方式が示されているが、本発明によればキャリア（例えば、キャリア／タイムスロットチャネル）上の各タイムスロットは、ダウンリンク若しくはアップリンクのどちらでも割り当てることができる。このような柔軟性により、ＴＤＤモードを、異なる環境及び異なる開発計画に対し適用することができる。どのような構成でも、少なくとも１キャリア上の１タイムスロットは、ダウンリンクに割り当てられなければならず、かつ、少なくとも１キャリア上の１タイムスロットは、アップリンクに割り当てられなければならない。
【００７４】
本発明は、現在最も実践的で、最適な実施形態を考慮して説明されているが、本発明は当該開示された実施形態に限定されるものではなく、逆に、特許請求の範囲の精神及び範囲内に含まれる様々な修正、均等な置換をカバーすることを意図するものであることは、理解されるべきである。
【図面の簡単な説明】
【図１】移動体通信システムの概念図である。
【図２】少なくとも部分的に地理的重複カバーエリアを有する複数の移動体通信システムの概念図である。
【図３】本発明の実施形態に対応した、複数の移動体通信システムの概念図である。
【図３ａ】ＤＳ＝ＣＤＭＡ装置を示すためのキャリア／タイムスロットチャネルの概念図である。
【図４】本発明に対応して利用されるチャネルの概念図である。
【図４ａ】物理チャネルＢＰＣＨ、ＤＰＣＨ、ＲＡＰＣＨ及びＦＡＰＣＨのビット構造の一例を示す図である。
【図４ｂ】各ＢＰＣＨフレームの６４データビット上における情報タイプのマッピングを示す図である。
【図５】３つのプロトコルレイヤーを有する無線インターフェースの一般的構成を示す図である。
【図６】本発明に対応して利用される共通ブロードキャスト物理チャネル（ＢＰＣＨ）のマルチフレーム形式の一例を示す図である。
【図７ａ】２重キャリアのための多重交換ポイント構成を示す図である。
【図７ｂ】２重キャリアのための単一交換ポイント構成とを示す図である。
【図８ａ】共通ブロードキャスト物理チャネル（ＢＰＣＨ）を送信するための動的ダウンリンク（ＤＰＣＨ）専用物理チャネルの利用を示した図である。
【図８ｂ】動的ダウンリンク専用物理チャネル（ＤＰＣＨ）が存在しない場合の、ダミー共通ブロードキャスト物理チャネル（ＢＰＣＨ）の生成を示した図である。
【図９】 本発明の実施形態における、加入者端末の構成図である。
【図１０】本発明の実施形態における、加入者端末チャネル識別処理に含まれる一般的なステップを示すフローチャートである。
【図１１】本発明の実施形態における、加入者端末チャネル選択処理に含まれる一般的なステップを示すフローチャートである。
【図１２】シームレスなハンドオーバーを行う際に、如何にしてブラインドスポットを排除するかの一例を示す図である。